(57)【要約】【課題】いか釣り漁業におけるいか釣針に掛ったいかの釣針からの脱離とその捲上げ時の案内ローラーにおけるいかの脱落を夫々防止して釣獲効率を向上すると共に捲上げドラムへの巻回時のいか釣針同士の纒絡も阻止する。【解決手段】コイルスプリングよりなる中空軸部材１に釣針４と擬餌体５を装着すると共に中空軸部材１の内部には軸部材より長い釣糸取付糸８を挿通せしめ、中空軸部材１の上端において釣糸取付糸８と中空軸部材１の上端とを釣糸１０に着脱自在に取付けたいか釣針を多数直列に連結していか釣りを行い、いかが掛ったときその重量でいか釣針が伸張するようにし、案内ローラー部および捲上げドラムにおいてはいか釣針を可及的にそれらの周面に訓致せしめるようにする。【選択図】        図１
2004305033.tif 000002
【特許請求の範囲】
【請求項１】
屈撓性と伸縮性を有する軸部材に釣針を装着すると共に前記軸部材より長い釣針取付糸を軸部材の長手方向に自在に沿設してその上端を軸部材の上端取付部と共に釣糸に取付けたことを特徴とするいか釣針。
【請求項２】
中空の軸部材の中空部に釣針取付糸を挿通沿設したことを特徴とする請求項１記載のいか釣針。
【請求項３】
中実の軸部材の長手方向に沿って釣針取付糸を自在に沿設したことを特徴とする請求項１記載のいか釣針。
【請求項４】
軸部材にコイルスプリングを使用したことを特徴とする請求項１記載のいか釣針。
【請求項５】
軸部材の上端取付部と釣針取付糸の上端部と釣糸とを着脱自在に形成したことを特徴とする請求項１乃至４何れか記載のいか釣針。
【発明の詳細な説明】
【０００１】
【発明の属する技術分野】
本発明はいか釣漁業におけるいか釣針の改良に関する。
【０００２】
【従来の技術】
従来のいか釣漁業は合成樹脂、金属、動物の骨角等からなる擬餌体の下部に倒傘状の釣針を設けた擬餌釣針を多数釣糸で直列に連結し、この釣糸を船外に突設した案内ローラを介して船内の捲上ドラムで捲上げ又は捲下げして釣獲しているのが現状である。
【０００３】
【発明が解決しようとする課題】
しかしながら折角擬餌針にかかったいかがその直後に擬餌針から脱離したり、船内に捲上げている間特に案内ローラ部分において擬餌釣針から脱落することが屡々見られ、例えばあかいかの場合にはその量は４０％にも達すると云われているのが実状である。
【０００４】
その原因としては倒傘状の釣針には「かえし」がないため、いかがかかったときに釣針に充分に引掛からずに脱離したり、いかのかかった擬餌釣針が案内ローラ部分を通過する間に倒傘状の釣針がローラ周面から浮き上がり、しかもその針先が下向きになることによって脱落するものと考えられている。
【０００５】
また従来の擬餌釣針は屈撓性及び伸縮性が充分でないので、捲上ドラムの周面に角張った屈曲状態で巻回され、この屈曲部分に他の擬餌釣針が入り込み引掛かり、纒絡することによって次回の操作に支障を来す欠陥もある。
【０００６】
これらの現状に鑑み、本発明はこれら欠陥を解消して、釣獲されたいかが擬餌釣針から脱落することを防止すると共にいか釣針同士の纒絡も阻止するようにしたいか釣針を提供し、いか釣漁業の作業効率を向上することを目的とするものである。
【０００７】
【課題を解決するための手段】
本発明は前記目的を達成するために、屈撓性と伸縮性を有する軸部材に釣針を装着すると共に前記軸部材より長い釣針取付糸を軸部材の長手方向に自在に沿設してその上端を軸部材の上端取付部と共に釣糸に取付けたことを特徴とするものであり、前記軸部材には屈撓性と伸縮性を有する中空又は中実の合成樹脂、ゴム等を使用することができるが、特にコイルスプリングを使用するのが好ましく、また中空軸部材の場合にはその中空部に釣針取付糸を挿通し、中実軸部材の場合にはその長手方向の周面に沿って釣針取付糸を沿設するか、周面の長さ方向に設けた溝孔内に釣針取付糸を嵌入して沿設するものであり、また軸部材の上端部に形成した取付部と釣糸取付糸と釣糸とをリング、フック等を利用して着脱自在に形成するのが好適である。
【０００８】
【発明の実施の形態】
本発明の実施の形態を図面の実施例について説明すると、屈撓性及び伸縮性を有するコイルスプリングよりなる中空軸部材１の上下端部には夫々取付リング２が一体に連設形成され、下部の取付リング２には脱落係止リング３が係合されている。
【０００９】
しかして前記中空軸部材１には脱落係止リング３に係止されて下方から上方に向け倒傘状の釣針４・４、擬餌体５、釣針４が順次嵌装されていると共にその上部にはこれら釣針４及び擬餌体５とを位置決め保持する止め筒６が嵌着固定し更にその上部に樹脂カラー７が嵌着されている。
【００１０】
また前記中空軸部材１の内部にはこれより長くかつ両端に取付リング８′・８′を有する釣針取付糸８が自在に挿通されると共に該釣糸取付糸８の上端の取付リング８′は前記中空軸部材１の上端の取付リング２に係合自在に係合された連結環９と釣糸１０の下端に設けられたスナップフック１０′によって着脱自在に係合連結されている。なお釣針取付糸８の下方部には図示していないが軸部材１の伸び切り防止用のストッパーを設けるのが好適である。
【００１１】
本発明のいか釣針は上記のように構成されているので、釣糸１０を介していか釣針を多数直列的に連結して従来と同様のいか釣り操作を行うものであり、いかが釣針４にかかるとその重量で伸縮性のある軸部材１は下方に伸縮して、竿釣り操作における竿先のしなり弾性合せ作用と同様にいかを確実に釣針４に掛った状態に保持してその脱離を防止しながら捲上げるものである。
【００１２】
このようにして釣り上げられたいかの掛ったいか釣針が案内ローラの部分を通過すると、軸部材１は今度はその屈撓性及び伸縮性によって案内ローラの案内周面に湾曲馴致しながら巻上げられ、釣針が案内ローラ面から離間することを防止して前記釣針に掛っているいかの脱落を可及的に防止して船内に漁獲することができるものである。
【００１３】
またこの場合釣糸１０によって巻上ドラムに巻回されるいか釣針も屈曲角張ることなくその周面に沿った状態で巻着されることにより、直列状態で巻回されたいか釣針同士が纒絡することも可及的に防止されるものである。
【００１４】
図５乃至図７に示す実施例は、軸部材１に屈撓性と伸縮性を有する合成樹脂又はゴム等の中実の軸部材を使用したものであって、その長さ方向の周面に沿って軸部材１より長い釣針取付糸８を自在に沿設したものであり、図中１１は釣針取付糸８は挿通自在であるが、釣針４の脱落防止のための軸部材の末端部にカシメ固着した固定具である。
【００１５】
【発明の効果】
本発明は伸縮性と屈撓性を有する軸部材がいかの重量により弾力で伸縮し恰も竿釣り操作時の竿先のしなり弾性作用と同じようにいかを釣針にしっかりと喰い付かせてその離脱を防止すると同時に案内ローラー部分においてはその周面に沿って、いか釣針が可及的馴致せしめて釣針が浮き上がることを阻止していかの脱落を防止することができ、その釣獲効率を著しく向上することができる。
【００１６】
また本発明のいか釣針は捲上げドラムにおいても可及的その周面に沿って馴致巻回され従来のように角張った突出部の発生を防止するようにしたので、他のいか釣針同士が纒絡することがなく、次回の操業等の支障を来すことなく作業能率も著しく向上することができる。
【００１７】
更に本発明において特に軸部材にコイルスプリングを使用したときには、充分な強度を保持しながら軸部材の伸縮力がいかの引き具合に円滑確実に順応してその釣獲作用を一層効率よく行うことができる。
【００１８】
また本発明は各部を着脱自在に形成したことによりその製作組立が簡易であり、釣針の数、その位置、並びに擬餌体の種類、大きさの変更も容易であって、いかの種類に適応したいか釣針を選択使用することができる。
【図面の簡単な説明】
【図１】本発明の正面図。
【図２】同要部の縦断正面図。
【図３】同要部の正面図。
【図４】同分解説明図。
【図５】本発明の別実施例の縦断正面図。
【図６】同５Ａ−Ａ線断面図。
【図７】同要部の正面図。
【符号の説明】
１    軸部材
４    釣針
５    擬餌体
８    釣針取付糸
１０  釣糸
【図１】
2004305033.tif 000003
【図２】
2004305033.tif 000004
【図３】
2004305033.tif 000005
【図４】
2004305033.tif 000006
【図５】
2004305033.tif 000007
【図６】
2004305033.tif 000008
【図７】
2004305033.tif 000009